(57)【要約】【課題】記録再生制御の制御パラメータの設定において、より簡易かつ適切な制御パラメータの設定を実現することを課題とする。【解決手段】光ディスク情報記録再生装置１００は、光ディスク１０の記録再生を行う装置であって、システムコントローラ１９と、トラッキング制御部１５，フォーカス制御部１６，収差補正部１７とを備えている。システムコントローラ１９は、光ディスク１０におけるトラックピッチの広い領域３０から検出されるトラッキング誤差信号ＴＥを用いて、光ディスク１０の記録再生制御の制御パラメータを調整する。トラッキング制御部１５，フォーカス制御部１６，収差補正部１７は、調整された制御パラメータを用いて、光ディスク１０の記録再生を実行する。【選択図】図１
2005158234.tif 000002
【特許請求の範囲】
【請求項１】
光ディスクの記録再生を行う方法であって、
前記光ディスクにおける所定のトラックピッチの領域から検出される検出信号を用いて、前記光ディスクの記録再生制御の制御パラメータを調整するパラメータ調整ステップと、
調整された前記制御パラメータを用いて、前記光ディスクの記録再生を実行する記録再生実行ステップと、
を備える記録再生方法。
【請求項２】
前記検出信号は、前記光ディスクの記録再生を実行するための光スポットを前記所定のトラックピッチの領域においてトラッキングする際に用いられるトラッキング制御信号である、
請求項１に記載の記録再生方法。
【請求項３】
前記トラッキング制御信号は、前記光スポットの反射光を検出する光検出部の出力差であるトラッキング誤差信号であり、
前記パラメータ調整ステップは、前記トラッキング誤差信号の信号振幅が最大となるように前記制御パラメータを調整する、
請求項１または２に記載の記録再生方法。
【請求項４】
前記記録再生制御は、前記光ディスクの記録再生を実行するための光スポットを略一定にするためのフォーカス制御と、前記光スポットの光学的収差を補正するための収差補正制御とを含む、
請求項１〜３のいずれかに記載の記録再生方法。
【請求項５】
前記収差補正制御は、球面収差を補正する制御である、
請求項４に記載の記録再生方法。
【請求項６】
前記パラメータ調整ステップは、前記フォーカス制御と前記収差補正制御との各々最適制御位置を前記所定のトラックピッチの領域で探査する、
請求項４または５に記載の記録再生方法。
【請求項７】
前記所定のトラックピッチの領域は、前記光ディスクにおいて情報を記録することができないように形成されている領域である、
請求項１〜６のいずれかに記載の記録再生方法。
【請求項８】
前記所定のトラックピッチの領域は、前記光ディスクのそれ以外の領域よりも内周側に形成されている領域である、
請求項１〜７のいずれかに記載の記録再生方法。
【請求項９】
前記光ディスクのトラックピッチは、いずれの領域もひとつの光源から生成される光スポットで前記光スポットが所望のトラックを走査するためのトラッキング制御を行うことができるようなトラックピッチに形成されている、
請求項１〜８のいずれかに記載の記録再生方法。
【請求項１０】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記記録再生実行ステップは、前記異なるトラックピッチの領域のうち狭いトラックピッチを有する領域において、前記光ディスクの記録再生を行う、
請求項１〜９のいずれかに記載の記録再生方法。
【請求項１１】
前記所定のトラックピッチの領域は、前記光ディスクの記録再生を実行するための光スポット径の２倍以上の大きさのトラックピッチを有する領域である、
請求項１〜１０のいずれかに記載の記録再生方法。
【請求項１２】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記異なるトラックピッチの領域のうち狭いトラックピッチの領域は、前記光スポット径の２倍以下の大きさのトラックピッチを有する領域である、
請求項１１に記載の記録再生方法。
【請求項１３】
前記所定のトラックピッチの領域のトラックピッチをＴＰＷとし、光ディスクに照射する光の波長をλとし、光を集光するための対物レンズの開口数をＮＡとした場合に、（ＴＰＷ／λ）・ＮＡは、３．６９以上４．９５以下である、
請求項１〜１２のいずれかに記載の記録再生方法。
【請求項１４】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記異なるトラックピッチの領域のうち狭いトラックピッチの領域のトラックピッチをＴＰＳとした場合に、（ＴＰＳ／λ）・ＮＡは、０．６１以上０．７３以下である
請求項１３に記載の記録再生方法。
【請求項１５】
光ディスクの記録再生を行う装置であって、
前記光ディスクにおける所定のトラックピッチの領域から検出される検出信号を用いて、前記光ディスクの記録再生制御の制御パラメータを調整するパラメータ調整部と、
調整された前記制御パラメータを用いて、前記光ディスクの記録再生を実行する記録再生実行部と、
を備える記録再生装置。
【請求項１６】
前記検出信号は、前記光ディスクの記録再生を実行するための光スポットを前記所定のトラックピッチの領域においてトラッキングする際に用いられるトラッキング制御信号である、
請求項１５に記載の記録再生装置。
【請求項１７】
前記トラッキング制御信号は、前記光スポットの反射光を受光する受光部の出力差であるトラッキング誤差信号であり、
前記パラメータ調整部は、前記トラッキング誤差信号の信号振幅が最大となるように前記制御パラメータを調整する、
請求項１５または１６に記載の記録再生装置。
【請求項１８】
前記記録再生制御は、前記光ディスクの記録再生を実行するための光スポットを略一定にするためのフォーカス制御と、前記光スポットの光学的収差を補正するための収差補正制御とを含む、
請求項１５〜１７のいずれかに記載の記録再生装置。
【請求項１９】
前記収差補正制御は、球面収差を補正する制御である、
請求項１８に記載の記録再生装置。
【請求項２０】
前記パラメータ調整部は、前記フォーカス制御と前記収差補正制御との各々最適制御位置を前記所定のトラックピッチの領域で探査する、
請求項１８または１９に記載の記録再生装置。
【請求項２１】
前記所定のトラックピッチの領域は、前記光ディスクにおいて情報を記録することができないように形成されている領域である、
請求項１５〜２０のいずれかに記載の記録再生装置。
【請求項２２】
前記所定のトラックピッチの領域は、前記光ディスクのそれ以外の領域よりも内周側に形成されている領域である、
請求項１５〜２１のいずれかに記載の記録再生装置。
【請求項２３】
前記光ディスクのトラックピッチは、いずれの領域もひとつの光源から生成される光スポットで前記光スポットが所望のトラックを走査するためのトラッキング制御を行うことができるようなトラックピッチに形成されている、
請求項１５〜２２のいずれかに記載の記録再生装置。
【請求項２４】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記記録再生実行部は、前記異なるトラックピッチの領域のうち狭いトラックピッチを有する領域において、前記光ディスクの記録再生を行う、
請求項１５〜２３のいずれかに記載の記録再生装置。
【請求項２５】
前記所定のトラックピッチの領域は、前記光ディスクの記録再生を実行するための光スポット径の２倍以上の大きさのトラックピッチを有する領域である、
請求項１５〜２４のいずれかに記載の記録再生装置。
【請求項２６】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記異なるトラックピッチの領域のうち狭いトラックピッチの領域は、前記光スポット径の２倍以下の大きさのトラックピッチを有する領域である、
請求項２５に記載の記録再生装置。
【請求項２７】
前記所定のトラックピッチの領域のトラックピッチをＴＰＷとし、光ディスクに照射する光の波長をλとし、光を集光するための対物レンズの開口数をＮＡとした場合に、（ＴＰＷ／λ）・ＮＡは、３．６９以上４．９５以下である、
請求項１５〜２６のいずれかに記載の記録再生装置。
【請求項２８】
前記光ディスクは、異なるトラックピッチの領域を有するグルーブ形成された光ディスクであり、
前記所定のトラックピッチの領域は、前記異なるトラックピッチの領域のうち広いトラックピッチを有する領域であり、
前記異なるトラックピッチの領域のうち狭いトラックピッチの領域のトラックピッチをＴＰＳとした場合に、（ＴＰＳ／λ）・ＮＡは、０．６１以上０．７３以下である
請求項２７に記載の記録再生装置。
【請求項２９】
光ディスクの記録再生制御の制御パラメータを調整する半導体回路であって、
前記光ディスクにおける所定のトラックピッチの領域から検出される検出信号を取得する検出信号取得部と、
取得された前記検出信号を用いて、前記記録再生制御の制御パラメータを調整するパラメータ調整部と、
を備える半導体回路。
【発明の詳細な説明】
【技術分野】
【０００１】
本発明は光ディスクの記録再生を実行する記録再生方法、記録再生装置および記録再生装置に用いられる半導体回路に関するものである。
【背景技術】
【０００２】
近年、ＤＶＤ（Ｄｉｇｉｔａｌ  Ｖｅｒｓａｔｉｌｅ  Ｄｉｓｃ）を始めとする光ディスク媒体および光ディスク装置が広く使われている。またＤＶＤの光源が赤色レーザであるのに対して、青色レーザを用いたさらなる高密度な光ディスクであるｂｌｕ−ｒａｙも実用化されている。光ディスク記録再生に用いるレーザ光源の短波長化され、光ディスク上に照射する光スポットの形状を小さくするために対物レンズの高ＮＡ化も行われている。
【０００３】
しかしながら、記録ピットもしくは記録マークの微細化に伴い、光スポットの波面収差の影響を無視することができなくなってきている。そこで球面収差を補正する方法が提案されている(例えば特許文献１参照)。このような収差を補正する方法としては光軸上に配置されたカップリングレンズあるいはレーザ光を平行光にするコリメータレンズを光軸方向に移動されるのが一般的である。
【０００４】
図２に球面収差を補正するためのヘッド構成図を一例として示す。
図２において光ヘッド１１は、半導体レーザ等の光源２４から出射した光は偏向プリズム２５を通過し、コリメータレンズ２３に入る。次にコリメータレンズ２３により平行光になった光は対物レンズ２６に入射し、対物レンズ２６によって集光され光ディスク２０上に照射される。また、対物レンズ２６はアクチュエータ２１を駆動することにより所定の光スポットを光ディスク２０上で形成し、所望のトラックを走査する。光ディスク２０から反射した光は再び対物レンズ２６に入射し、平行光となって、再度コリメータレンズ２３に入射する。コリメータレンズ２３を通過した光は偏向プリズム２５に再度入射し、今度は偏向されて所望の信号を検出する光学フィルタであるホログラム２７に入射する。ホログラム２７を通過した光は光検出器２８によって各種制御信号を生成する。
【０００５】
この構成において、球面収差を補正するためには、コリメータレンズ２３を駆動アクチュエータ２２により変化させる。このような構成によって球面収差を補正する技術が知られている。
また、光ディスク装置としては、収差補正する際に光ディスクに記録された信号を用いて最適補正量を探査する方法が提案されている(例えば、特許文献２参照)。
【０００６】
さらに、光学ヘッドとしてフォーカスエラー信号を用いて、フォーカス位置と収差補正量とを一定の割合で変化させ収差補正しようとする提案も行われている（例えば、特許文献３参照）。
【特許文献１】特開平１１−２５９０６号公報
【特許文献２】特開平１０−１０６０１２号公報
【特許文献３】特開２０００−１８２２５４号公報
【発明の開示】
【発明が解決しようとする課題】
【０００７】
前記従来の構成では、予め設定した値でフォーカスと収差量などの記録再生制御の制御パラメータを設定する場合には、光ディスク装置および光学素子のばらつき等により、必ずしも適切な記録再生制御が行われるとは限らない。
また、光ディスクに記録された信号を再生して制御パラメータの設定を行う場合には、装置構成および制御が複雑となる。
【０００８】
さらに、フォーカスエラー信号を用いて制御パラメータの設定を行う場合には、光学ヘッドの構成が複雑となる。
以上示すように、記録再生制御の制御パラメータの設定においては、より簡易かつ適切な制御パラメータの設定が求められている。
【０００９】
そこで、本発明では、記録再生制御の制御パラメータの設定において、より簡易かつ適切な制御パラメータの設定を実現する記録再生方法を提供することを課題とする。さらに別の本発明では、より簡易かつ適切な制御パラメータの設定を実現する記録再生装置および半導体回路を提供することを課題とする。
【課題を解決するための手段】
【００１０】
請求項１に記載の記録再生方法は、光ディスクの記録再生を行う方法であって、パラメータ調整ステップと、記録再生実行ステップとを備えている。パラメータ調整ステップは、光ディスクにおける所定のトラックピッチの領域から検出される検出信号を用いて、光ディスクの記録再生制御の制御パラメータを調整する。記録再生実行ステップは、調整された制御パラメータを用いて、光ディスクの記録再生を実行する。
【００１１】
ここで、検出信号とは、例えば、光ディスクの物理的形状・特性を利用して得られる信号である。
本発明の記録再生方法では、検出信号を用いて制御パラメータの調整を行うため、適切な制御パラメータの設定を行うことが可能となる。さらに、検出信号は、所定のトラックピッチの領域から検出されるものであるため、より簡易に制御パラメータの設定を行うことが可能となる。以上により、より簡易かつ適切な制御パラメータの設定を実現する記録再生方法を提供することが可能となる。
【００１２】
請求項２に記載の記録再生方法は、請求項１に記載の記録再生方法であって、検出信号は、光ディスクの記録再生を実行するための光スポットを所定のトラックピッチの領域においてトラッキングする際に用いられるトラッキング制御信号である。
本発明の記録再生方法では、トラッキング制御信号を用いて制御パラメータの調整を行う。すなわち、光ディスクの記録再生時と同様のトラッキング制御により、制御パラメータの調整を行うことが可能となり、より簡易に制御パラメータの設定を行うことが可能となる。
【００１３】
請求項３に記載の記録再生方法は、請求項１または２に記載の記録再生方法であって、トラッキング制御信号は、光スポットの反射光を検出する光検出部の出力差であるトラッキング誤差信号である。パラメータ調整ステップは、トラッキング誤差信号の信号振幅が最大となるように制御パラメータを調整する。
【００１４】
本願発明者の調査により、トラッキング誤差信号の信号振幅が最大となる場合に、制御パラメータの調整が適切に行われていることが判明している。
本発明の記録再生方法では、光ディスクの記録再生時と同様のトラッキング誤差信号を用いて制御パラメータの調整を行うことが可能となる。
【００１５】
請求項４に記載の記録再生方法は、請求項１〜３のいずれかに記載の記録再生方法であって、記録再生制御は、光ディスクの記録再生を実行するための光スポットを略一定にするためのフォーカス制御と、光スポットの光学的収差を補正するための収差補正制御とを含む。
【００１６】
請求項５に記載の記録再生方法は、請求項４に記載の記録再生方法であって、収差補正制御は、球面収差を補正する制御である。
請求項６に記載の記録再生方法は、請求項４または５に記載の記録再生方法であって、パラメータ調整ステップは、フォーカス制御と収差補正制御との各々最適制御位置を所定のトラックピッチの領域で探査する。
【００１７】
本発明の記録再生方法により、所定のトラックピッチの領域で、フォーカス制御と収差補正制御との最適制御位置（制御パラメータ）の調整を行うことが可能となる。
請求項７に記載の記録再生方法は、請求項１〜６のいずれかに記載の記録再生方法であって、所定のトラックピッチの領域は、光ディスクにおいて情報を記録することができないように形成されている領域である。
【００１８】
光ディスクにおいて情報を記録することができないように形成されている領域とは、例えば、光ディスクに形成されているＢＣＡ（Ｂｕｒｓｔ  Ｃｕｔｔｉｎｇ  Ａｒｅａ）など、光ディスクの製造時あるいは製造後に光ディスクの情報などを付加するための領域である。
【００１９】
請求項８に記載の記録再生方法は、請求項１〜７のいずれかに記載の記録再生方法であって、所定のトラックピッチの領域は、光ディスクのそれ以外の領域よりも内周側に形成されている領域である。
請求項９に記載の記録再生方法は、請求項１〜８のいずれかに記載の記録再生方法であって、光ディスクのトラックピッチは、いずれの領域もひとつの光源から生成される光スポットで光スポットが所望のトラックを走査するためのトラッキング制御を行うことができるようなトラックピッチに形成されている。
【００２０】
請求項１０に記載の記録再生方法は、請求項１〜９のいずれかに記載の記録再生方法であって、光ディスクは、異なるトラックピッチの領域を有するグルーブ形成された光ディスクである。所定のトラックピッチの領域は、異なるトラックピッチの領域のうち広いトラックピッチを有する領域である。記録再生実行ステップは、異なるトラックピッチの領域のうち狭いトラックピッチを有する領域において、光ディスクの記録再生を行う。
【００２１】
本発明の記録再生方法では、広いトラックピッチの領域において制御パラメータの調整を行うとともに、それよりも狭いトラックピッチの領域において記録再生を行うことが可能となる。
請求項１１に記載の記録再生方法は、請求項１〜１０のいずれかに記載の記録再生方法であって、所定のトラックピッチの領域は、光ディスクの記録再生を実行するための光スポット径の２倍以上の大きさのトラックピッチを有する領域である。
【００２２】
本発明の記録再生方法では、光スポット径の２倍以上の大きさのトラックピッチの領域において制御パラメータの調整を行う。
請求項１２に記載の記録再生方法は、請求項１１に記載の記録再生方法であって、光ディスクは、異なるトラックピッチの領域を有するグルーブ形成された光ディスクである。所定のトラックピッチの領域は、異なるトラックピッチの領域のうち広いトラックピッチを有する領域である。異なるトラックピッチの領域のうち狭いトラックピッチの領域は、光スポット径の２倍以下の大きさのトラックピッチを有する領域である。
【００２３】
本発明の記録再生方法では、光スポット径の２倍以上の大きさのトラックピッチの領域において制御パラメータの調整を行うとともに、光スポット径の２倍以下の大きさのトラックピッチの領域において記録再生を行うことが可能となる。
請求項１３に記載の記録再生方法は、請求項１〜１２のいずれかに記載の記録再生方法であって、所定のトラックピッチの領域のトラックピッチをＴＰＷとし、光ディスクに照射する光の波長をλとし、光を集光するための対物レンズの開口数をＮＡとした場合に、（ＴＰＷ／λ）・ＮＡは、３．６９以上４．９５以下である。
【００２４】
本発明の記録再生方法では、（ＴＰＷ／λ）・ＮＡが、３．６９以上４．９５以下であるＴＰＷの領域において制御パラメータの調整を行うことが可能となる。
請求項１４に記載の記録再生方法は、請求項１３に記載の記録再生方法であって、光ディスクは、異なるトラックピッチの領域を有するグルーブ形成された光ディスクである。所定のトラックピッチの領域は、異なるトラックピッチの領域のうち広いトラックピッチを有する領域である。異なるトラックピッチの領域のうち狭いトラックピッチの領域のトラックピッチをＴＰＳとした場合に、（ＴＰＳ／λ）・ＮＡは、０．６１以上０．７３以下である。
【００２５】
本発明の記録再生方法では、（ＴＰＷ／λ）・ＮＡが、３．６９以上４．９５以下であるＴＰＷの領域において制御パラメータの調整を行うとともに、（ＴＰＳ／λ）・ＮＡが、０．６１以上０．７３以下となるＴＰＳの領域において記録再生を行うことが可能となる。
【００２６】
請求項１５に記載の記録再生装置は、光ディスクの記録再生を行う装置であって、パラメータ調整部と、記録再生実行部とを備えている。パラメータ調整部は、光ディスクにおける所定のトラックピッチの領域から検出される検出信号を用いて、光ディスクの記録再生制御の制御パラメータを調整する。記録再生実行部は、調整された制御パラメータを用いて、光ディスクの記録再生を実行する。
【００２７】
ここで、検出信号とは、例えば、光ディスクの物理的形状・特性を利用して得られる信号である。
本発明の記録再生装置では、検出信号を用いて制御パラメータの調整を行うため、適切な制御パラメータの設定を行うことが可能となる。さらに、検出信号は、所定のトラックピッチの領域から検出されるものであるため、より簡易に制御パラメータの設定を行うことが可能となる。以上により、より簡易かつ適切な制御パラメータの設定を実現する記録再生装置を提供することが可能となる。
【００２８】
請求項１６に記載の記録再生装置は、請求項１５に記載の記録再生装置であって、検出信号は、光ディスクの記録再生を実行するための光スポットを所定のトラックピッチの領域においてトラッキングする際に用いられるトラッキング制御信号である。
本発明の記録再生装置では、トラッキング制御信号を用いて制御パラメータの調整を行う。すなわち、光ディスクの記録再生時と同様のトラッキング制御により、制御パラメータの調整を行うことが可能となり、より簡易に制御パラメータの設定を行うことが可能となる。
【００２９】
請求項１７に記載の記録再生装置は、請求項１５または１６に記載の記録再生装置であって、トラッキング制御信号は、光スポットの反射光を受光する受光部の出力差であるトラッキング誤差信号である。パラメータ調整部は、トラッキング誤差信号の信号振幅が最大となるように制御パラメータを調整する。
【００３０】
本願発明者の調査により、トラッキング誤差信号の信号振幅が最大となる場合に、制御パラメータの調整が適切に行われていることが判明している。
本発明の記録再生装置では、光ディスクの記録再生時と同様のトラッキング誤差信号を用いて制御パラメータの調整を行うことが可能となる。
【００３１】
請求項１８に記載の記録再生装置は、請求項１５〜１７のいずれかに記載の記録再生装置であって、記録再生制御は、光ディスクの記録再生を実行するための光スポットを略一定にするためのフォーカス制御と、光スポットの光学的収差を補正するための収差補正制御とを含む。
【００３２】
請求項１９に記載の記録再生装置は、請求項１８に記載の記録再生装置であって、収差補正制御は、球面収差を補正する制御である。
請求項２０に記載の記録再生装置は、請求項１８または１９に記載の記録再生装置であって、パラメータ調整部は、フォーカス制御と収差補正制御との各々最適制御位置を所定のトラックピッチの領域で探査する。
【００３３】
本発明の記録再生装置により、所定のトラックピッチの領域で、フォーカス制御と収差補正制御との最適制御位置（制御パラメータ）の調整を行うことが可能となる。
請求項２１に記載の記録再生装置は、請求項１５〜２０のいずれかに記載の記録再生装置であって、所定のトラックピッチの領域は、光ディスクにおいて情報を記録することができないように形成されている領域である。
【００３４】
光ディスクにおいて情報を記録することができないように形成されている領域とは、例えば、光ディスクに形成されているＢＣＡ（Ｂｕｒｓｔ  Ｃｕｔｔｉｎｇ  Ａｒｅａ）など、光ディスクの製造時あるいは製造後に光ディスクの情報などを付加するための領域である。
【００３５】
請求項２２に記載の記録再生装置は、請求項１５〜２１のいずれかに記載の記録再生装置であって、所定のトラックピッチの領域は、光ディスクのそれ以外の領域よりも内周側に形成されている領域である。
請求項２３に記載の記録再生装置は、請求項１５〜２２のいずれかに記載の記録再生装置であって、光ディスクのトラックピッチは、いずれの領域もひとつの光源から生成される光スポットで光スポットが所望のトラックを走査するためのトラッキング制御を行うことができるようなトラックピッチに形成されている。
【００３６】
請求項２４に記載の記録再生装置は、請求項１５〜２３のいずれかに記載の記録再生装置であって、光ディスクは、異なるトラックピッチの領域を有するグルーブ形成された光ディスクである。所定のトラックピッチの領域は、異なるトラックピッチの領域のうち広いトラックピッチを有する領域である。記録再生実行部は、異なるトラックピッチの領域のうち狭いトラックピッチを有する領域において、光ディスクの記録再生を行う。
【００３７】
本発明の記録再生装置では、広いトラックピッチの領域において制御パラメータの調整を行うとともに、それよりも狭いトラックピッチの領域において記録再生を行うことが可能となる。
請求項２５に記載の記録再生装置は、請求項１５〜２４のいずれかに記載の記録再生装置であって、所定のトラックピッチの領域は、光ディスクの記録再生を実行するための光スポット径の２倍以上の大きさのトラックピッチを有する領域である。
【００３８】
本発明の記録再生装置では、光スポット径の２倍以上の大きさのトラックピッチの領域において制御パラメータの調整を行う。
請求項２６に記載の記録再生装置は、請求項２５に記載の記録再生装置であって、光ディスクは、異なるトラックピッチの領域を有するグルーブ形成された光ディスクである。所定のトラックピッチの領域は、異なるトラックピッチの領域のうち広いトラックピッチを有する領域である。異なるトラックピッチの領域のうち狭いトラックピッチの領域は、光スポット径の２倍以下の大きさのトラックピッチを有する領域である。
【００３９】
本発明の記録再生装置では、光スポット径の２倍以上の大きさのトラックピッチの領域において制御パラメータの調整を行うとともに、光スポット径の２倍以下の大きさのトラックピッチの領域において記録再生を行うことが可能となる。
請求項２７に記載の記録再生装置は、請求項１５〜２６のいずれかに記載の記録再生装置であって、所定のトラックピッチの領域のトラックピッチをＴＰＷとし、光ディスクに照射する光の波長をλとし、光を集光するための対物レンズの開口数をＮＡとした場合に、（ＴＰＷ／λ）・ＮＡは、３．６９以上４．９５以下である。
【００４０】
本発明の記録再生装置では、（ＴＰＷ／λ）・ＮＡが、３．６９以上４．９５以下であるＴＰＷの領域において制御パラメータの調整を行うことが可能となる。
請求項２８に記載の記録再生装置は、請求項２７に記載の記録再生装置であって、光ディスクは、異なるトラックピッチの領域を有するグルーブ形成された光ディスクである。所定のトラックピッチの領域は、異なるトラックピッチの領域のうち広いトラックピッチを有する領域である。異なるトラックピッチの領域のうち狭いトラックピッチの領域のトラックピッチをＴＰＳとした場合に、（ＴＰＳ／λ）・ＮＡは、０．６１以上０．７３以下である。
【００４１】
本発明の記録再生装置では、（ＴＰＷ／λ）・ＮＡが、３．６９以上４．９５以下であるＴＰＷの領域において制御パラメータの調整を行うとともに、（ＴＰＳ／λ）・ＮＡが、０．６１以上０．７３以下となるＴＰＳの領域において記録再生を行うことが可能となる。
【００４２】
請求項２９に記載の半導体回路は、光ディスクの記録再生制御の制御パラメータを調整する半導体回路であって、検出信号取得部と、パラメータ調整部とを備えている。検出信号取得部は、光ディスクにおける所定のトラックピッチの領域から検出される検出信号を取得する。パラメータ調整部は、取得された検出信号を用いて、記録再生制御の制御パラメータを調整する。
【００４３】
ここで、検出信号とは、例えば、光ディスクの物理的形状・特性を利用して得られる信号である。
本発明の半導体回路では、検出信号を用いて制御パラメータの調整を行うため、適切な制御パラメータの設定を行うことが可能となる。さらに、検出信号は、所定のトラックピッチの領域から検出されるものであるため、より簡易に制御パラメータの設定を行うことが可能となる。以上により、より簡易かつ適切な制御パラメータの設定を実現する半導体回路を提供することが可能となる。
【発明の効果】
【００４４】
以上のように本発明により、記録再生制御の制御パラメータの設定において、より簡易かつ適切な制御パラメータの設定を実現する記録再生方法を提供することが可能となる。
【発明を実施するための最良の形態】
【００４５】
以下本発明の実施の形態について、図面を参照しながら説明する。また、同一機能を有するものについては同一の符号を付している。
（実施の形態１）
実施の形態１に示す発明は、特に、トラッキング誤差信号ＴＥを利用してフォーカス制御と収差補正制御との最適制御位置（制御パラメータ）を設定する点、に特徴を有している。さらに、トラッキング誤差信号ＴＥを光ディスク上の所定の領域において検出する点、に特徴を有している。
【００４６】
〈光ディスク情報記録再生装置の構成〉
図１は本発明実施の形態を示すための光ディスク情報記録再生装置のブロック図である。
光ディスク情報記録再生装置１００は、光ディスク１０へ光を照射し、光ディスク１０からの反射光を検出する光ヘッド１１、光ディスク１０を回転させるスピンドルモータ１２、光ヘッド１１を移動させるトラバース部１３、トラバース部１３を駆動させるためのトラバース駆動部１８などから主に構成されている。また、光ヘッド１１において検出された検出信号から、プリアンプ１４は、フォーカス誤差信号（ＦＥ）、トラッキング誤差信号（ＴＥ）、ＲＦ再生信号を生成する。
【００４７】
フォーカス誤差信号ＦＥは、光ヘッド１１から出射される光が光ディスク１０上で一定のスポットを形成するようにプリアンプ１４により生成され、フォーカス制御部１６に入力され、フォーカス制御を実現する。
トラッキング誤差信号ＴＥは、光ヘッド１１から出射される光が光ディスク１０上の所望のトラックを走査するようにプリアンプ１４により生成され、トラッキング制御部１５に入力され、トラッキング制御を実現する。
【００４８】
フォーカス制御部１６およびトラッキング制御部１５は、光スポットを光ディスク１０上の所望の部分に照射し、上述の誤差信号に基づいて帰還制御を行うため、デジタルフィルタや各種フィルタを備えている。
光ディスク情報記録再生装置１００は、さらに、図２に示すものと同様な効果を有する収差補正部１７を備え、収差補正できるような構成となっている。
【００４９】
また、光ディスク情報記録再生装置１００は、装置全体を制御するためのシステムコントローラ１９を備えている。このシステムコントローラはＡＤ変換器、デジタル信号処理部（ＤＳＰ）、中央演算処理部(ＣＰＵ)、メモリなどを内蔵し、ハードウェアないしはソフトウェアによる光ディスクシステム制御を行うものである。システムコントローラ１９は、プリアンプ１４等において生成される各種誤差信号を検出し、トラッキング制御部１５、フォーカス制御部１６、収差補正部１７に対して動作指示およびオフセット等の設定を行うことが可能である。
【００５０】
〈光ディスク情報記録再生装置の動作〉
以下、光ディスク情報記録再生装置１００のフォーカス制御、収差補正制御、トラッキング制御について説明する。さらに、本発明の特徴部分、トラッキング制御において用いられるトラッキング誤差信号を用いたフォーカス位置と収差補正量（制御パラメータ）の設定について説明する。
【００５１】
なお、光ディスク情報記録再生装置１００は、以下に説明するフォーカス制御、収差補正制御、トラッキング制御などを用いて、光ディスク１０上の所望の部分へ光ヘッド１１を移動させ、所定のトラックに対して光ビームを照射し、情報の記録あるいは再生を行う。以下では、本発明の特徴部分を中心に説明を行う。記録再生の一連の動作は、一般的な光ディスク装置の記録再生方法を用いても良いため、記録再生動作に関する他の部分は図示していない。
【００５２】
［フォーカス制御］
図８を用いてフォーカス誤差信号ＦＥの生成方法及びオフセットを変化させる方法について説明する。
図８はフォーカス誤差信号ＦＥを生成するための回路構成図である。
【００５３】
図８は、光検出器８４、加算アンプ８５，８６および差動アンプ８７を示している。光検出器８４は、上述の光ヘッド１１内部で構成される。また、光検出器８４上の光量分布８９はフォーカスが合っているときには円になりデフォーカス時には楕円になる。この変化を４分割された領域８０、領域８１、領域８２、領域８３にて検出する。具体的には、領域８１と領域８３との検出信号を加算アンプ８６で、領域８２と領域８０との検出信号を加算アンプ８５で加算し、さらに二つの加算アンプ８５，８６の出力の差分を差動アンプ８７で検出し、フォーカス誤差信号ＦＥを生成する。
【００５４】
また、フォーカス位置を変化させたい場合には、フォーカス誤差信号ＦＥに対してシステムコントローラ１９から所定の変化に対応した電圧あるいは電流を加算あるいは減算することで実現する。また、差動アンプ８７の減算バランスを変化させることでもフォーカス位置を変化させることが可能である。
【００５５】
ここでフォーカス制御及びトラッキング制御は、一般的な光ディスク装置において用いられる方法で実現することができるため、ここに記載の方法以外の方法でも構わない。さらに、上述の加算アンプ８５、８６、差動アンプ８７は、光ヘッド１１内あるいはプリアンプ１４内のどちらにあってもよい。
【００５６】
［収差補正制御］
次に、図９を用いて、収差補正量を変化させる方法について説明する。
図９は収差を補正するためのヘッド構成例を示している。また、図９と図２とは、ほぼ同一であるが、収差補正するためのコリメータレンズ２３を変化させる方法がアクチュエータ２２からステッピングモータ９２に変わっている点、さらに、コリメータレンズ２３を動作させるためのステッピングモータ駆動部９３を付加した点において相違している。
【００５７】
光ビーム内で発生する収差を補正する場合には、まず、プリアンプ１４で生成される信号を元にシステムコントローラ１９から所定の電圧、電流、あるいは収差補正部１７の内部レジスタを設定するためのコマンド、を収差補正部１７であるステッピングモータ駆動部９３に出力する。ステッピングモータ駆動部９３は、ステッピングモータ９２を所定量だけ変化させる。
【００５８】
ここで、収差補正制御は、一般的な光ディスク装置において用いられる方法で実現することができるため、ここに記載の方法以外の方法でも構わない。
［トラッキング制御］
次に、図３〜図７を用いて、光ディスク情報記録再生装置１００における、トラッキング制御について説明する。
【００５９】
〔ディスク構造〕
まず、トラッキング制御の対象となる光ディスク１０の構造について説明する。
光ディスク１０には、本発明の実施のためにトラックピッチが広い領域３０とトラックピッチが狭い領域３７が形成されている。この光ディスク１０のトラック領域について図３を用いて説明する。
【００６０】
図３は、光ディスク１０のトラック領域を模式的に示したものである。
図３（ａ）の光ディスク１０には、ディスク内周側にトラックピッチの広い領域３０（斜線で示した領域）が形成されており、その外周側には、ユーザデータを記録できるトラックピッチの狭い領域３７が形成されている。
【００６１】
図３（ｂ）は、図３（ａ）のトラックピッチの広い領域３０とトラックピッチの狭い領域３７の境界部分の一部分３１を拡大したものである。
光ディスクのトラック３３は、グルーブ形状になっており、光ビームを照射しトラッキング動作を行うことができる。トラック３３は、トラックピッチの広いトラックであり、ユーザ情報を記録することはできない。一方、トラック３２は、トラックピッチの狭いトラックであり、ユーザ情報３６を記録することができる。ユーザ情報３６は、コード変調されたマークもしくはピット形成される。
【００６２】
ここでトラックピッチの大きさについては、対物レンズの開口数ＮＡが０．８５であり、照射するレーザの波長が４０５ｎｍである時には、トラックピッチの広い領域３０のトラックピッチＴＰＷは、例えば、２μｍであり、トラックピッチの狭い領域３７のトラックピッチＴＰＳは、例えば、０．３２μｍである。また、このようなトラック構造において、トラックピッチが広すぎたり狭すぎたりするとトラッキング誤差信号ＴＥが正しく出力されなくなるため、トラックピッチＴＰＷを光ビームの波長λで除して対物レンズの開口数ＮＡを掛けた値が３．６９から４．９５程度であることが望ましい。さらに、トラックピッチＴＰＳを光ビームの波長λで除して対物レンズの開口数ＮＡを掛けた値が０．６１から０．７３程度であることが望ましい。
【００６３】
ここで、トラックピッチの広い領域３０とは、例えば、光ディスクの内周に形成されたＢＣＡ（Ｂｕｒｓｔ  Ｃｕｔｔｉｎｇ  Ａｒｅａ）と呼ばれる領域である。ＢＣＡは、光ディスク製造時あるいは製造後に光ディスクに情報を付加するためのものである。ＢＣＡは、円周状に帯状に形成された、反射率の変化を読み取るための縞模様にて形成されている。
【００６４】
通常ＢＣＡは、ディスク製造後に高いレーザパワーで形成されるが、予めトラックが形成されている場合には、ＢＣＡ形成後にそのトラックにトラッキング制御することが可能になる。
〔トラッキング制御〕
次に、図４を用いて、これらのトラック３２，３３を再生した場合の光検出器２８及びトラッキング誤差信号（ＴＥ）の生成方法について説明する。
【００６５】
図４は光ヘッド１１内の光検出器２８の光量分布の様子を示した模式図である。
図４（ａ）は、図３に示すトラックピッチの狭い領域３７を再生した場合の光量分布を示している。光検出器２８はトラック走査方向４３に対して左右に２分割された構成になっており、トラック３２から反射された光の回折０次光４０と回折±１次光４１とを斜線で示している。トラッキング誤差信号ＴＥは、光検出器２８の左右で個別に検出する光量差を差動アンプ４４にて検出することにより生成される。
【００６６】
図４（ｂ）は、図３に示すトラックピッチの広い領域３０を再生した場合の光量分布を示している。図４（ｂ）に示すように、±１次の回折光４２の分布間隔が近づくように光量分布が移動する。
ここで、図４に示される、光検出器２８上の光量分布の移動の仕組みについて説明する。
【００６７】
トラッキング誤差信号ＴＥは、回折格子に光を照射した場合の光の回折現象を利用して生成されるものである。この回折光は、０次光を中心に±１次、±２次と順に外側に形成され、０次光から離れるように干渉縞あるいは干渉スポットが形成される。光波長をλ、格子間隔をｄとした場合には、光の性質により、干渉間隔Ｗは、（λ／ｄ）に比例する関係に従う特性になる。
【００６８】
ここで光ディスク１０のトラックピッチを格子間隔ｄと置き換え、光検出器２８上での光量分布間隔の関係を干渉間隔期Ｗと置き換えることができる。したがって、トラックピッチが狭くなるほど光量分布４１は離れて、トラックピッチが広くなるほど光量分布４２は近づくように観測される。
【００６９】
光ディスク１０上の所定のトラックに対して情報を記録再生する際には、上記構成を用いて、検出されたトラッキング誤差信号ＴＥの大きさが小さくなるように光ヘッド１１の制御が行われる。
［トラッキング誤差信号を用いた制御パラメータ設定］
〔トラッキング誤差信号の特性〕
図５と図６とを用いて、フォーカス位置と球面収差とにより検出されるトラッキング誤差信号（ＴＥ）の特性について説明する。図５はフォーカス位置と収差補正量に対するトラッキング誤差信号ＴＥの振幅特性を示した特性図である。図６は球面収差に対する光ビーム形状とトラッキング誤差信号ＴＥを示した図である。
【００７０】
図５においてＸ軸にフォーカス位置を示し、Ｙ軸に収差補正量を示し、Ｚ軸にトラッキング誤差信号ＴＥの振幅を示している。図５では、フォーカス位置及び収差補正ができている場合をＸＹ軸０の位置としており、この場合にトラッキング誤差信号ＴＥの振幅は最大になる。一方、フォーカス位置、収差補正量が変化すると、光ディスク１０上でのスポットがぼやけてしまいトラッキング信号振幅が低下することになる。ただし、フォーカス位置変化に対して収差補正により収差が補正できる方向については、トラッキング誤差信号ＴＥの振幅低下が小さくなるような特性となる。図５に示すトラッキング誤差信号ＴＥの振幅特性を用いて、フォーカス位置及び収差補正量を探査する。
【００７１】
フォーカス位置および収差補正量の探査について説明する前に、図６を用いて、その振幅変化の仕組みについて説明する。
図６（ａ）、（ｂ）、（ｃ）は、対物レンズによって集光出射された光ビームを示しており、図６（ｄ）、（ｅ）、（ｆ）は、その光ビームに対応して再生、生成されたトラッキング誤差信号ＴＥの出力を示している。
【００７２】
図６（ｂ）は、フォーカス位置及び収差補正量が０の場合を示している。図５の特性図における点５０１に相当する。この場合、光ビームの内側の光束である内光束６１と外側の光束である外光束６２との焦点位置は一致している。
図６（ａ）は、収差が発生し、内光束の焦点が外光束の焦点よりも対物レンズに近い場合を示しており、図５の特性図における点５００に相当する。図６（ｃ）は、図６（ａ）とは逆に、内光束の焦点が外光束の焦点よりも対物レンズに遠い場合を示しており、図５の特性図における点５０２に相当する。
【００７３】
また、図６（ａ）〜（ｃ）では、トラックピッチの狭い領域３７（図３参照）を再生した場合の±１次回折光の光量分布６３を斜線で示しており、トラックピッチの広い領域３０（図３参照）を再生した場合の±１次回折光の光量分布を点線で示している。
本発明の特徴は、トラックピッチの広い領域３０で制御パラメータの探査を行い、より信頼性を高い探査を実現することにある。本発明では、トラックピッチの広い領域３０における光ビームの反射光により生成されたトラッキング誤差信号ＴＥを用いて、制御パラメータの設定を行っている。トラックピッチの広い領域３０を採用した理由を以下に示す。
【００７４】
まずトラックピッチの狭い領域３７を再生した場合について説明する。
反射光が光量分布６３の場合で、かつ内光束と外光束の焦点が一致する場合には、トラッキング誤差信号６４（実線）が出力される。これに対して、図６（ａ）、図６（ｃ）のように収差が存在する場合でも、トラッキング誤差信号ＴＥの振幅は、ほとんど変動しない。すなわち、図６（ｄ），（ｆ）に示す用に、トラッキング誤差信号振幅６０１とトラッキング誤差信号６０３との振幅差はほとんどない。
【００７５】
従って、トラックピッチの狭い領域３７から生成されたトラックキング誤差信号６４では、フォーカス位置や収差補正量が最適な場合とそうでない場合との区別が難しく、フォーカス位置と収差補正量の最適探査することが難しい。
これはデフォーカスが発生している状態においてさらに収差が発生している場合に、収差補正部１７（図１参照）により収差を補正することで、トラッキング誤差信号ＴＥが、主に光ビームの外光束に基づいて生成されるためである。ただし、内側と外側の境界は連続なため、少なからず図６（ａ）、図６（ｃ）のように収差がずれた場合にも、トラッキング誤差信号ＴＥの振幅低下は存在する。さらに、デフォーカスにより０次回折光が光検出器２８上で大きくなり、結果として光検出器２８上での光量のコントラストが低下してしまう。
【００７６】
また、トラックピッチの狭い領域３７において、フォーカス位置と収差補正量を探査しようとすると、ユーザ情報を記録している部分と未記録の部分とでトラッキング誤差信号ＴＥの振幅が変化し、精度よくトラッキング誤差信号ＴＥの振幅を測定できない可能性がある。
【００７７】
次にトラックピッチの広い領域３０を再生した場合について説明する。
図６（ｅ）において、トラッキング誤差信号６６は、点線で示されている。トラックピッチの狭い領域３７のトラッキング誤差信号６４に対して、トラックピッチの広い領域３０のトラッキング誤差信号６６は、信号振幅が大きく変化している。これは、トラッキング誤差信号６６を生成するための回折光の検出光量が増加するためである。このため、トラックピッチの狭い領域３７に対して、信号検出感度が増加することになる。すなわち、トラッキング誤差信号６００とトラッキング誤差信号６０２との振幅差が生じることになる。よって、この特性を用いてフォーカス位置と収差補正量の最適設定値を探査することが可能になる
〔トラッキング誤差信号を用いた制御パラメータ設定〕
次に図７を用いて、フォーカス位置と収差補正量の最適設定探査方法について詳細に説明する。図７はフォーカス位置の値と収差補正量との探査時のフローチャートである。
【００７８】
光ディスク情報記録再生装置１００はまず、ディスクを起動（７００）させ、フォーカス制御を動作させる。次にトラバース駆動部１８を経由してトラバース部１３を駆動し、光ヘッド１１を光ディスク１０内周のトラックピッチの広い領域３０へ移動させる（７０１）。
【００７９】
この時点では、トラッキング制御は、非動作（７０２）状態である。すなわち、本発明では、トラッキング制御の非動作状態におけるトラッキング誤差信号ＴＥの信号振幅の変化を用いて、制御パラメータを設定する。
次に、フォーカス位置と収差補正量の探査初期値をシステムコントローラよりフォーカス制御部１６、収差補正部１７に設定する（７０３）。
【００８０】
次に、トラッキング誤差信号ＴＥの信号振幅を測定する（７０４）。
次に、トラッキング誤差信号ＴＥの信号振幅の最大値をシステムコントローラ１９の内部のメモリに保持する（７０５）。
次に、測定回数が所定以上になったかを判定する（７０６）。
【００８１】
あらかじめ設定した回数以下の場合には、フォーカス位置と収差補正量とを変化させ（７０７）、トラッキング誤差信号ＴＥの信号振幅を測定する（７０８）。
この測定結果と、システムコントローラ１９の内部メモリに保持されている値とを比較し（７０９）、測定結果の方が大きい場合には、内部メモリの値を更新する（７１０）。同時に、その時のフォーカス位置及び収差補正量の値もメモリに保存しておく。
【００８２】
測定結果が内部メモリに保存されている値よりも小さい場合には、次のフロー（７０６）に移り、所定の測定回数になるまで測定を続ける。図７では、この場合の所定回数を［５］としているが、これに限定しない。
測定回数が所定の値（ここでは［５］）を超えると、トラッキング誤差信号ＴＥが一番大きかった時のフォーカス位置及び収差補正量が探査結果として設定される（７１１）。
【００８３】
ここで、フォーカス位置と収差補正量とを変化させる場合には、図５に示す特性図に対して所定の近似関数上を動作させるようにする。これによりトラッキング誤差信号ＴＥの振幅がより大きな部分を探査することで、トラッキング制御の安定性を確保することが可能となり、さらに２次元の探査を１次元として探査することが可能になる。近似関数の例として図５に示す近似直線５０３を用いても良い。
【００８４】
次に、情報を記録再生行うためにトラックピッチの狭い領域３７のトラック３２へ光ヘッド１１を移動させ（７１２）、トラッキング制御部１５を動作させ、記録再生動作（７１３）を行う。
また、装置の温度変化時にも最適なフォーカス位置と収差補正量を適宜探査できるようにするために、温度センサー等（不図示）を備えておき、温度変化に応じて探査動作を行うようにしてもよい。また、再生、記録動作中にエラーが発生した場合にも再度、最適フォーカス位置や収差補正量を探査することで信頼性をあげることが可能となる。
【００８５】
以上のように本発明によれば、光ディスク１０上の情報を再生せず、言い換えれば、光ディスク１０上に予め記録されているピットあるいは信号、もしくは自ら記録したピットあるいは信号を再生すること無く、フォーカス位置及び収差補正量の最適値を探査することが可能となる。ここで、「ピットあるいは信号の再生」とは、記録されたランダムデータを復調することを意味している。
【００８６】
また、トラックピッチが広い領域におけるトラッキング誤差信号を用いてフォーカス位置及び収差補正量の最適値を探査することが可能となる。このため、簡易・迅速かつ信頼性の高い情報記録再生装置を提供することが可能となる。
また、記録再生時に用いられるトラッキング制御と同様の処理により、制御パラメータの設定を行うことが可能となる。これにより、特別な装置を備えることなく、制御パラメータの設定を行うことが可能となり、装置の低コスト化、装置・処理の簡素化などが実現可能となる。
【００８７】
（その他）
〈１〉
本発明では、トラッキング誤差信号ＴＥだけではなく、収差、フォーカス位置の影響を受けて、より顕著に変化する指標を用いてもよい。例えば、図４に示しているトラッキング誤差信号ＴＥは、ディテクタ検出信号の差動出力を生成しているが、これらを加算した和出力である全光量信号を用いてもよい。
【００８８】
〈２〉
本発明を、図３に示すような異なるトラックピッチの領域を有する光ディスク以外の光ディスクにも適用することが可能である。
ただし、制御パラメータの設定を行うためのトラッキング誤差信号ＴＥの検出は、例えば、以下のトラックピッチＴＰＷの領域で行われることが望ましい。トラックピッチＴＰＷとは、光ディスクに照射する光の波長をλとし、光を集光するための対物レンズの開口数をＮＡとした場合に、（ＴＰＷ／λ）・ＮＡが、３．６９以上４．９５以下となるＴＰＷである。さらに、トラックピッチＴＰＷの領域以外の領域のトラックピッチＴＰＳは、（ＴＰＳ／λ）・ＮＡが、０．６１以上０．７３以下となるＴＰＳであることが好ましい。
【００８９】
この場合、トラックピッチＴＰＷの領域で制御パラメータの設定を行うとともに、トラックピッチＴＰＳの領域で情報の記録再生を行うことが可能となる。
また、制御パラメータの設定を行うためのトラッキング誤差信号ＴＥの検出は、例えば、次のトラックピッチの領域において行うことが可能である。すなわち、そのトラックピッチとは、光ヘッド１１から出射される光が光ディスク１０上で形成する光スポットの光スポット径の２倍以上となるトラックピッチである。この領域において、制御パラメータの設定を行うためのトラッキング誤差信号ＴＥの検出を行うことが可能となる。さらに、これ以外の領域のトラックピッチは、光スポット径の２倍以下となるトラックピッチであることが好ましい。
【００９０】
この場合、光スポット径の２倍以上となるトラックピッチの領域で制御パラメータの設定を行うとともに、光スポット径の２倍以下となるトラックピッチの領域で情報の記録再生を行うことが可能となる。
〈３〉
ブロック図の各機能ブロックや、ハードウェア構成は、典型的には集積回路であるＬＳＩとして実現される。これらは個別に１チップ化されても良いし、一部又は全てを含むように１チップ化されても良い。
【００９１】
例えば、図１におけるシステムコントローラは、１チップ化されていてもよいし、光ディスク情報記録再生装置１００を構成するその他の要素とともに１チップ化されていても良い。
ここでは、ＬＳＩとしたが、集積度の違いにより、ＩＣ、システムＬＳＩ、スーパーＬＳＩ、ウルトラＬＳＩと呼称されることもある。
【００９２】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサー  を利用しても良い。
【００９３】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
（付記）
〈付記１〉
異なるトラックピッチの領域を有するグルーブ形成された光ディスクの情報を記録再生する方法であって、
前記トラックピッチの広い領域で前記光ディスクに記録再生するための制御手段の調整を行い、前記トラックピッチの狭い領域にユーザ情報の記録あるいは再生を行うことを特徴とする情報記録又は再生方法。
【００９４】
〈付記２〉
前記制御手段は
前記光ディスク上の情報を再生あるいは記録するための光スポットを略一定にするためのフォーカス制御手段と、
前記光スポットの光学的収差を補正するための収差補正手段と、を有することを特徴とする付記１記載の情報記録又は再生方法。
【００９５】
〈付記３〉
前記フォーカス制御手段と前記収差補正手段の各々最適制御位置を前記トラックピッチが広い領域で探査することを特徴とする付記２記載の情報記録又は再生方法。
〈付記４〉
異なるトラックピッチにおいて情報を記録することができないように形成されているトラックピッチが広い領域を用いてフォーカス制御手段と収差補正手段の最適制御位置を探査することを特徴とする付記２記載の情報記録又は再生方法。
【００９６】
〈付記５〉
トラックピッチが広い領域はトラックピッチが狭い領域よりも内周に形成されているような光ディスクであることを特徴とする付記１記載の情報記録又は再生方法。
〈付記６〉
フォーカス制御手段と収差補正手段の最適制御位置を探査する場合に、前記光スポットが所望のトラックを走査させるためのトラッキング誤差信号の信号振幅が最大になるように前記最適制御位置を探査することを特徴とする付記３記載の情報記録又は再生方法。
【００９７】
〈付記７〉
異なるトラックピッチはいずれの領域もひとつの光源から生成される光スポットで前記光スポットが所望のトラックを走査するためのトラッキング制御を行うことができるようなトラックピッチに形成されているような光ディスクことを特徴とする付記１記載の情報記録又は再生方法。
【００９８】
〈付記８〉
トラックピッチが広い領域のトラックピッチをＴＰＷとし、トラックピッチが狭い領域のトラックピッチをＴＰＳとし、光ディスクに照射する光の波長をλとし、光を集光するための対物レンズの開口数をＮＡとした場合にＴＰＷ／λ・ＮＡは３．８から４．９以下であり、かつＴＰＳ／λ・ＮＡは０．６８から０．７９以下であることを特徴とする付記１記載の情報記録又は再生方法。
【００９９】
〈付記９〉
収差補正手段は球面収差を補正することを特徴とする付記２記載の情報記録又は再生方法。
〈付記１０〉
異なるトラックピッチの領域を有するグルーブ形成された光ディスクの情報を記録再生する装置であって、
光ディスクに記録再生するための調整を行う制御手段を備え、
制御手段は、トラックピッチの広い領域で調整を行い、
トラックピッチの狭い領域にユーザ情報の記録あるいは再生を行うことを特徴とする情報記録又は再生装置。
【０１００】
〈付記１１〉
制御手段は、
前記光ディスク上の情報を再生あるいは記録するための光スポットを略一定にするためのフォーカス制御手段と
前記光スポットの光学的収差を補正するための収差補正手段と、を有し、
前記フォーカス制御手段と前記収差補正手段の各々最適制御位置を前記トラックピッチが広い領域で探査することを特徴とする付記１０に記載の情報記録又は再生装置。
【０１０１】
〈付記１２〉
異なるトラックピッチの中でトラックピッチが広い領域は、情報を記録することができないように形成されている領域を用いてフォーカス制御手段と収差補正手段の最適制御位置を探査することを特徴とする付記１１記載の情報記録又は再生装置。
【０１０２】
〈付記１３〉
異なるトラックピッチの中でトラックピッチが広い領域はトラックピッチが狭い領域よりも内周に形成されているような光ディスクであることを特徴とする付記１０記載の情報記録又は再生装置。
【０１０３】
〈付記１４〉
異なるトラックピッチはいずれの領域もひとつの光源から生成される光スポットで前記光スポットが所望のトラックを走査するためのトラッキング制御を行うことができるようなトラックピッチに形成されているような光ディスクにおいてフォーカス制御手段と収差補正手段の最適制御位置を探査することを特徴とする付記１１記載の情報記録又は再生装置。
【０１０４】
〈付記１５〉
収差補正手段は球面収差であることを特徴とする付記１１に記載の情報記録又は再生装置。
〈付記１６〉
フォーカス制御手段と収差補正手段の最適制御位置を探査する場合に、前記光スポットが所望のトラックを走査させるためのトラッキング誤差信号の信号振幅が最大になるように前記最適制御位置を探査することを特徴とする付記１１記載の情報記録又は再生装置。
【０１０５】
〈付記の説明〉
前記従来課題を解決するために、本発明の光ディスク情報記録再生方法および光ディス
ク情報記録再生装置は、異なるトラックピッチの領域を有するグルーブ形成された光ディスクの情報を記録再生する方法であって、前記光ディスク上の情報を再生あるいは記録するための光スポットを略一定にするためのフォーカス制御手段と前記光スポットの光学的収差を補正するための収差補正手段と前記フォーカス制御手段と前記収差補正手段の各々最適制御位置を前記トラックピッチが広い領域で探査し、前記トラックピッチが狭い領域においてユーザ情報の記録あるいは再生を行うことを特徴としている。
【０１０６】
また、フォーカス制御手段と収差補正手段のそれぞれの最適制御位置を探査する指標としてトラッキング誤差信号の信号振幅を用いることを特徴としている。
本構成によって、よりトラックピッチの広い領域で最適制御位置を探査することでより精度の高いフォーカス位置と収差調整が可能となり、また、未記録ディスクの場合でも光ディスク上に記録あるいは形成されている情報の再生信号用いないため迅速な最適制御位置探査を可能にする。
【産業上の利用可能性】
【０１０７】
本発明にかかる記録再生方法、記録再生装置および半導体装置は、より簡易かつ適切な制御パラメータの設定を実現することが求められる分野で有用であり、光ディスクの記録再生を行う光ディスク装置等に有用である。
【図面の簡単な説明】
【０１０８】
【図１】本発明の実施の形態を示すための光ディスク装置ブロック図
【図２】背景技術における球面収差を補正するためのヘッド構成図
【図３】本発明の実施の形態における光ディスクのトラック領域の模式図
【図４】本発明の実施の形態における光検出器光量分布を示した図
【図５】本発明の実施の形態におけるフォーカス位置と収差補正量に対するトラッキング誤差信号の振幅特性を示した特性図
【図６】本発明の実施の形態における球面収差に対する光ビーム形状とトラッキング誤差信号を示した図
【図７】本発明の実施の形態におけるフォーカス位置の値と収差補正量との探査時のフローチャート
【図８】本発明の実施の形態におけるフォーカス誤差信号を生成するための回路構成図
【図９】本発明の実施の形態における収差を補正するためのヘッド構成図
【符号の説明】
【０１０９】
１０    光ディスク
１１    光ヘッド
１２    スピンドルモータ
１３    トラバース部
１４    プリアンプ
１５    トラッキング制御部
１６    フォーカス制御部
１７    収差補正部
１８    トラバース駆動部
１９    システムコントローラ
【図１】
2005158234.tif 000003
【図２】
2005158234.tif 000004
【図３】
2005158234.tif 000005
【図４】
2005158234.tif 000006
【図５】
2005158234.tif 000007
【図６】
2005158234.tif 000008
【図７】
2005158234.tif 000009
【図８】
2005158234.tif 000010
【図９】
2005158234.tif 000011